【手続補正書】
【提出日】平成26年3月4日(2014.3.4)
【手続補正１】
【補正対象書類名】明細書
【補正対象項目名】００４５
【補正方法】変更
【補正の内容】
【００４５】
第２通信部４０は、図示せぬ無線基地局と無線通信を行い、移動体通信網を介した通信を行う無線通信デバイスである。第２通信部４０は、例えば２GHzの周波数帯を使い、通話アプリケーションだけでなく、最大２Mbpsのデータ通信を用いてインターネット接続など各種通信アプリケーションに利用される。例えば、第２通信部４０による無線通信は、コンテンツデータのダウンロードや管理サーバ１２との通信等に用いられ、第２通信部４０は、例えば、いわゆる第３世代（3G）携帯電話機の通信方式による3G通信が可能なデバイスなどとして構成される。
【手続補正２】
【補正対象書類名】明細書
【補正対象項目名】０１２２
【補正方法】変更
【補正の内容】
【０１２２】
すなわち、ここでは、ステップＳ３３３における２つのAPリストの比較の結果として、それぞれのAPリストにおいて一致するAPの数が所定数より少ないものとすると、管理サーバ１２は、ステップＳ３３４において、差分APリストを生成する。そして、管理サーバ１２は、ステップＳ３３５において、差分APリスト（不足リスト）に基づいた所定の条件でのAPの再スキャン要求を携帯端末装置１１−２に送信する。また、管理サーバ１２は、ステップＳ３３６において、差分APリスト（不足リスト）に基づいた所定の条件でのAPの再スキャン要求を携帯端末装置１１−１に送信する。
【手続補正３】
【補正対象書類名】明細書
【補正対象項目名】０１５８
【補正方法】変更
【補正の内容】
【０１５８】
［コンテンツ提供システムへの適用例］
図１７は、本技術を適用したコンテンツ提供システムの構成例を示す図である。
【手続補正４】
【補正対象書類名】明細書
【補正対象項目名】０１７５
【補正方法】削除
【補正の内容】
【手続補正５】
【補正対象書類名】特許請求の範囲
【補正対象項目名】全文
【補正方法】変更
【補正の内容】
【特許請求の範囲】
【請求項１】
無線通信が可能な範囲に存在する無線通信装置をスキャンするスキャン処理部と、
前記スキャン処理部のスキャンにより検出された前記無線通信装置のリストを生成するリスト生成部と、
前記リスト生成部によって生成された前記リストを、情報処理装置に送信する送信部と、
前記リストと他の端末装置からの前記リストとの比較結果に基づいて前記情報処理装置から送信されてくる、接続先に関する接続先関連情報を受信する受信部と
を備える端末装置。
【請求項２】
前記受信部は、前記情報処理装置から送信されてくる、所定の条件での前記無線通信装置のスキャンの要求を受信し、
前記スキャン処理部は、前記受信部によって受信された前記要求に基づいて、前記所定の条件で前記無線通信装置をスキャンする
請求項１に記載の端末装置。
【請求項３】
前記受信部は、前記情報処理装置から送信されてくる、所定の通信チャネルでの前記無線通信装置のスキャンの要求を受信し、
前記スキャン処理部は、前記受信部によって受信された前記要求に基づいて、前記所定の通信チャネルで前記無線通信装置をスキャンする
請求項２に記載の端末装置。
【請求項４】
前記受信部は、前記情報処理装置から送信されてくる、所定の通信モードでの前記無線通信装置のスキャンの要求を受信し、
前記スキャン処理部は、前記受信部によって受信された前記要求に基づいて、前記所定の通信モードで前記無線通信装置をスキャンする
請求項２に記載の端末装置。
【請求項５】
無線通信が可能な範囲に存在する無線通信装置をスキャンするスキャンステップと、
前記スキャンステップのスキャンにより検出された前記無線通信装置のリストを生成するリスト生成ステップと、
前記リスト生成ステップの処理によって生成された前記リストを、情報処理装置に送信する送信ステップと、
前記リストと他の端末装置からの前記リストとの比較結果に基づいて前記情報処理装置から送信されてくる、接続先に関する接続先関連情報を受信する受信ステップと
を含む通信方法。
【請求項６】
無線通信が可能な範囲に存在する無線通信装置をスキャンするスキャンステップと、
前記スキャンステップのスキャンにより検出された前記無線通信装置のリストを生成するリスト生成ステップと、
前記リスト生成ステップの処理によって生成された前記リストを、情報処理装置に送信する送信ステップと、
前記リストと他の端末装置からの前記リストとの比較結果に基づいて前記情報処理装置から送信されてくる、接続先に関する接続先関連情報を受信する受信ステップと
を含む処理をコンピュータに実行させるプログラム。
【請求項７】
無線通信装置と無線通信を行う２以上の端末装置それぞれから送信されてくる、無線通信が可能な範囲に存在する前記無線通信装置のスキャンにより検出された前記無線通信装置のリストを受信する受信部と、
前記受信部によって受信された２以上の前記端末装置からの前記リストを比較するリスト比較部と、
前記リスト比較部の比較結果に基づいて、前記端末装置の接続先に関する接続先関連情報を生成する接続先関連情報生成部と、
前記接続先関連情報生成部によって生成された前記接続先関連情報を、前記端末装置に送信する送信部と
を備える情報処理装置。
【請求項８】
前記リスト比較部は、２以上の前記端末装置からの前記リストそれぞれにおいて一致する前記無線通信装置の数を比較し、
前記接続先関連情報生成部は、前記リストそれぞれにおいて一致する前記無線通信装置の数が所定数より多い場合に、前記接続先関連情報を生成する
請求項７に記載の情報処理装置。
【請求項９】
前記送信部は、前記リストそれぞれにおいて一致する前記無線通信装置の数が所定数より少ない場合、所定の条件での前記無線通信装置のスキャンの要求を、前記端末装置に送信する
請求項８に記載の情報処理装置。
【請求項１０】
前記送信部は、前記リストそれぞれにおいて一致する前記無線通信装置の数が所定数より少ない場合、一致しない前記無線通信装置と前記端末装置との無線通信において、所定の値より高い電波強度の無線通信の通信チャネルでのスキャンの要求を、前記端末装置に送信する
請求項９に記載の情報処理装置。
【請求項１１】
前記送信部は、前記リストそれぞれにおいて一致する前記無線通信装置の数が所定数より少ない場合、一致しない前記無線通信装置と前記端末装置との無線通信において、所定の値より高い電波強度の無線通信の通信モードでのスキャンの要求を、前記端末装置に送信する
請求項９に記載の情報処理装置。
【請求項１２】
前記接続先関連情報生成部は、前記リスト比較部の比較結果に基づいて、前記端末装置についての認証を行い、前記接続先関連情報を生成する
請求項７乃至１１のいずれかに記載の情報処理装置。
【請求項１３】
無線通信装置と無線通信を行う２以上の端末装置それぞれから送信されてくる、無線通信が可能な範囲に存在する前記無線通信装置のスキャンにより検出された前記無線通信装置のリストを受信する受信ステップと、
前記受信ステップの処理によって受信された２以上の前記端末装置からの前記リストを比較するリスト比較ステップと、
前記リスト比較ステップの処理による比較結果に基づいて、前記端末装置の接続先に関する接続先関連情報を生成する接続先関連情報生成ステップと、
前記接続先関連情報生成ステップの処理によって生成された前記接続先関連情報を、前記端末装置に送信する送信ステップと
を含む情報処理方法。
【請求項１４】
無線通信装置と無線通信を行う２以上の端末装置それぞれから送信されてくる、無線通信が可能な範囲に存在する前記無線通信装置のスキャンにより検出された前記無線通信装置のリストを受信する受信ステップと、
前記受信ステップの処理によって受信された２以上の前記端末装置からの前記リストを比較するリスト比較ステップと、
前記リスト比較ステップの処理による比較結果に基づいて、前記端末装置の接続先に関する接続先関連情報を生成する接続先関連情報生成ステップと、
前記接続先関連情報生成ステップの処理によって生成された前記接続先関連情報を、前記端末装置に送信する送信ステップと
を含む処理をコンピュータに実行させるプログラム。
【請求項１５】
無線通信装置と無線通信を行う２以上の端末装置と、前記端末装置と通信を行う情報処理装置とからなる情報処理システムにおいて、
前記端末装置は、
無線通信が可能な範囲に存在する無線通信装置をスキャンするスキャン処理部と、
前記スキャン処理部のスキャンにより検出された前記無線通信装置のリストを生成するリスト生成部と、
前記リスト生成部によって生成された前記リストを、情報処理装置に送信する送信部と、
前記リストと他の端末装置からの前記リストとの比較結果に基づいて前記情報処理装置から送信されてくる、接続先に関する接続先関連情報を受信する受信部と
を備え、
前記情報処理装置は、
無線通信装置と無線通信を行う２以上の端末装置それぞれから送信されてくる、無線通信が可能な範囲に存在する前記無線通信装置のスキャンにより検出された前記無線通信装置のリストを受信する受信部と、
前記受信部によって受信された２以上の前記端末装置からの前記リストを比較するリスト比較部と、
前記リスト比較部の比較結果に基づいて、前記端末装置の接続先に関する接続先関連情報を生成する接続先関連情報生成部と、
前記接続先関連情報生成部によって生成された前記接続先関連情報を、前記端末装置に送信する送信部と
を備える情報処理システム。